(57)【要約】【課題】装飾板をさらに個性的なものにでき、使用者の満足度を増すことができ、また、装飾効果も向上できる。そして、二つ折りの携帯電話機の開閉操作も片手で容易になり使い勝手も向上できる携帯電話機を得る。【解決手段】第２ケース２の上部にヒンジ部１１を介して第１ケース１を開閉自在に設けた折り畳み式の携帯電話機において、第１ケース１の上面に装飾板４を取付け、この装飾板４の上部に装飾板４から一部が外方に突出するように立体形状のマスコット１０を取付けた。【選択図】        図１
0003116056.tif 000002
【実用新案登録請求の範囲】
【請求項１】
第２ケースの上部にヒンジ部を介して第１ケースを開閉自在に設けた折り畳み式の携帯電話機において、第１ケースの上面に装飾板を取付け、この装飾板の上部に装飾板から一部が外方に突出するように立体形状のマスコットを取付けたことを特徴とする携帯電話機。
【請求項２】
第２ケースの上部にヒンジ部を介して第１ケースを開閉自在に設けた折り畳み式の携帯電話機において、第１ケースの上面に装飾板を取付け、この装飾板の上部でヒンジ部との対向位置に、装飾板から一部が外方に突出するように立体形状のマスコットを取付けたことを特徴とする携帯電話機。
【請求項３】
第２ケースの上部にヒンジ部を介して第１ケースを開閉自在に設けた折り畳み式の携帯電話機において、第１ケースの上面に装飾板を取付け、この装飾板の上部で側部に装飾板から一部が外方に突出するように立体形状のマスコットを取付けたことを特徴とする携帯電話機。
【請求項４】
立体形状のマスコットは、ペットを示す動物である請求項１ないし請求項３のいずれかに記載の携帯電話機。
【請求項５】
立体形状のマスコットは、人気キャラクターによる請求項１ないし請求項３のいずれかに記載の携帯電話機。
【考案の詳細な説明】
【技術分野】
【０００１】
本考案は、携帯電話機に関するものである。
【背景技術】
【０００２】
折り畳み可能な携帯電話機は、周知のように第１ケースの表裏面にディスプレイ画面による表示部を設け、第２ケースの表面にテンキーその他の各種操作スイッチを設け、第１ケースと第２ケースと折り畳み自在に連結してある。
【０００３】
電話機能を使用する状態においては、第１ケースと第２ケースとを開いた状態で使用する。この状態では、操作スイッチを操作することによって電話番号の入力等の操作を行いつつ、表示部に表示される内容を視認することができる。
【０００４】
そして、非使用状態で格納するときには、第１ケースと第２ケースとを折り畳んだ状態で格納する。この状態では、操作スイッチは第１ケースによって覆われているので、誤ってキーが操作されることが防止される。
【０００５】
このような携帯電話機は、発売元によって形状、形態、色などの種類が限定されており、使用者の細かな希望にそえないことや、他人と同一のものを使用することにもなってしまう。そこで、使用者の個性を主張するものとして第１ケースの上面にさらにジャケットと称せられる装飾板やシールを取付けることができる。
【０００６】
この装飾板は発売された状態の携帯電話機にはない種々の色や模様が施されているものであり、個性を主張できるだけでなく、同一の携帯電話機を長期間にわたって使用する場合であっても、装飾板を交換することで新規の携帯電話機を購入したのと同様の感触を得ることもできる。
【０００７】
前記従来技術は、当業者間で一般的に行われているものであり、文献公知発明にかかるものではない。
【考案の開示】
【考案が解決しようとする課題】
【０００８】
装飾板を取付けることで個性を主張する場合であっても、装飾板が市販のものであり、その色や模様などの態様も限定されたものである以上、自他の区別をつけるにも限界がある。
【０００９】
また、第１ケースと第２ケースは外周が同一形状のケースであり、非使用状態で格納するときには、第１ケースと第２ケースとがぴったり重なる状態で折り畳まれる。その結果、広げるには第１ケースまたは第２ケースの厚みに頼り、指をかける場所がないので、両手を使用して第１ケースと第２ケースのそれぞれをつかんで広げることになる。
【００１０】
広げることを片手で行うのは、ぴったり重なっている第１ケースと第２ケースとのに指を押入れて、その指をもって第２ケースに対して第１ケースを立てるようにする。
【００１１】
このように広げるのに両手を使わなければならないのでは、片手がふさがっている場合には不便であり、また、片手のみで広げることは広げ難いという欠点があった。
【００１２】
本考案は前記従来例の不都合を解消するものとして、装飾板をさらに個性的なものにでき、装飾効果も向上でき、また、開閉し易いという携帯電話機の使い勝手も向上できる携帯電話を提供するものである。
【課題を解決するための手段】
【００１３】
請求項１記載の考案は、第２ケースの上部にヒンジ部を介して第１ケースを開閉自在に設けた折り畳み式の携帯電話機において、第１ケースの上面に装飾板を取付け、この装飾板の上部に装飾板から一部が外方に突出するように立体形状のマスコットを取付けたことを要旨とするものである。
【００１４】
請求項１記載の本考案によれば、装飾板にさらに立体形状のマスコットを取付けることで、より個性的なものにでき、満足度を増すことができる。また、立体形状のマスコットはこれを装飾板から一部が外方に突出するように取付けたことにより、該突出部分を指掛けとして利用でき、蓋状の第１ケースの開閉もこのマスコットを手掛りとして行えるから、開閉操作が容易になる。
【００１５】
請求項２記載の考案は、第２ケースの上部にヒンジ部を介して第１ケースを開閉自在に設けた折り畳み式の携帯電話機において、第１ケースの上面に装飾板を取付け、この装飾板の上部でヒンジ部との対向位置に、装飾板から一部が外方に突出するように立体形状のマスコットを取付けたことを要旨とするものである。
【００１６】
請求項２記載の本考案によれば、装飾板にさらに立体形状のマスコットを取付けることで、より個性的なものにでき、満足度を増すことができる。また、立体形状とし、さらにヒンジ部との対向位置に設けることで、蓋状の第１ケースの開閉もこのマスコットを手掛りとして行えるから、開閉操作が容易になる。
【００１７】
請求項３記載の考案は、第２ケースの上部にヒンジ部を介して第１ケースを開閉自在に設けた折り畳み式の携帯電話機において、第１ケースの上面に装飾板を取付け、この装飾板の上部で側部に装飾板から一部が外方に突出するように立体形状のマスコットを取付けたことを要旨とするものである。
【００１８】
請求項３記載の本考案によれば、装飾板にさらに立体形状のマスコットを取付けることで、より個性的なものにでき、満足度を増すことができる。また、立体形状とし、さらに装飾板の側部に設けることで、蓋状の第１ケースの開閉もこのマスコットを手掛りとして行えるから、開閉操作が容易になる。
【００１９】
請求項４および請求項５記載の考案は、第２ケースの上部にヒンジ部を介して第１ケースを開閉自在に設けた折り畳み式の携帯電話機において、第１ケースの上面に装飾板を取付け、この装飾板の上部に装飾板から一部が外方に突出するようにペットなどの動物や人気キャラクターなどによる立体形状のマスコットを取付けたことを要旨とするものである。
【００２０】
請求項４記載の本考案によれば、装飾板にさらに立体形状のマスコットを取付けることで、より個性的なものにでき、満足度を増すことができる。また、立体形状とすることで、蓋状の第１ケースの開閉もこのマスコットを手掛りとして行えるから、開閉操作が容易になる。そして、このマスコットをペットなどの動物や人気キャラクターとすることで、愛着が湧き、満足度をさらに増せる。
【考案の効果】
【００２１】
以上述べたように本考案の携帯電話機は、装飾板に立体形状のマスコットを取付けることで、装飾板をさらに個性的なものにでき、使用者の満足度を増すことができ、また、装飾効果も向上できる。そして、マスコットの部分を手掛かりとして第１ケースを開閉できるから携帯電話機の使い勝手も向上できるものである。
【考案を実施するための最良の形態】
【００２２】
以下、図面について本考案の実施形態を詳細に説明する。図１は本考案の携帯電話機の実施形態を示す斜視図、図２は同上要部である装飾板の正面図、図２は同上装飾板の側面図で、携帯電話機の基本構成は従来と同様で、電子部品を内蔵した第１ケース１の表裏面に表示部６を設け、第２ケース２の表面に図示は省略したテンキーその他の各種操作スイッチを設けてある。
【００２３】
かかる携帯電話機において、第１ケース１の上面にジャケットと称せられる装飾板４を取付ける。装飾板４は、第１ケース１の外形形状にほぼ合致するプレートで本体４ａを形成したもので、この本体４ａには第１ケース１に設けてあるカメラ５、表示部６を塞がないように切欠き７、窓部８が形成してある。図中９は装飾板４を第１ケース１に固定するためのビス孔を示す。
【００２４】
取付け方法は、第１ケース１の蓋の部分を本体に固定しているビスを一旦外し、第１ケース１の蓋の部分の上に装飾板４を重ねて、ビス孔９にビスを挿入して第１ケース１の蓋と装飾板４とをいっしょに第１ケースの本体に固定する。
【００２５】
本考案では、前記装飾板４の本体４ａの上部に立体形状のマスコット１０を取付けた。この立体形状のマスコット１０は金や銀、またはプラチナ等の貴金属で作成したものとして、高級感および重量感を持たせる。
【００２６】
なお、他の実施形態として、立体形状のマスコット１０は貴金属以外の金属、合成樹脂、木材等で作成したものでもよい。
【００２７】
装飾板４が合成樹脂なので、前記貴金属製の立体形状のマスコット１０は接着材により装飾板４に固定する。
【００２８】
立体形状のマスコット１０の取付け位置は、図示のように第１ケース１と第２ケースとのヒンジ部１１に対向する位置とする。
【００２９】
他の実施形態として立体形状のマスコット１０の取付け位置は、図示は省略するが本体４ａの側部としてもよく、その場合はヒンジ部１１からなるべく離れた方が望ましい。
【００３０】
そして、マスコット１０は、その一部が本体４ａから外側下方に向けて突出するように取付ける。図示の例では、マスコット１０はペットを示す動物としての犬とし、腹ばいの状態で装飾板4上に取り付き、突出部１０ａとして頭の部分または顔の先端が本体４ａから突出するようにした。
【００３１】
ペットが例えば柴犬であれば、マスコット１０はそのような柴犬の犬の姿とし、装飾板４の本体４ａの上部に誕生日等記念すべき日の文字「２００５．７．１」、性別「♀」、犬種「柴犬」等の文字を記載した。ペットが例えば他の犬種であれば、マスコット１０はその姿に合わせることにより、使用者の飼っている動物と同一種類のものなり、より愛着が生じる。
【００３２】
さらに、マスコット１０は前記のような犬に限定されるものではなく、ペットとしての動物である猫やその他の動物とすることも可能である。
【００３３】
また、マスコット１０は、例えばディズニーその他のキャラクターでもよい。キャラクターも愛着を深めることができる。
【００３４】
かかるマスコット１０は装飾板４に予め接着などにより固定的に取付けて、装飾板４と一体物とすることもできるが、装飾板４とマスコット１０とを別体として、購入者の意思で組み合わせてもよい。後者の場合は、より個性的なものにでき満足度を増すことができる。
【００３５】
さらに、マスコット１０の取付けには着脱自在な接着剤を使用すれば、マスコット１０のみを希望のものに交換でき、楽しみを増すことができる。
【００３６】
携帯電話機の使用に際しては、マスコット１０の装飾板４からの突出部１０ａを手掛かりとして片手のみで容易に、第１ケース１を開閉することができ、開閉操作が容易になる。特に、バッグの中などで手探りで開閉する場合の手掛かりとすることができ、使い勝手のよいものである。
【図面の簡単な説明】
【００３７】
【図１】本考案の携帯電話機の１実施形態を示す斜視図である。
【図２】本考案の携帯電話機の１実施形態を示す要部である装飾板の正面図である。
【図３】本考案の携帯電話機の１実施形態を示す要部である装飾板の側面図である。
【符号の説明】
【００３８】
１  第１ケース                  ２  第２ケース  
４  装飾板                      ４ａ  本体
５  カメラ                      ６  表示部
７  切欠き                      ８  窓部
９  ビス孔                      １０  マスコット
１０ａ  突出部                  １１  ヒンジ部
【図１】
0003116056.tif 000003
【図２】
0003116056.tif 000004
【図３】
0003116056.tif 000005